(57)【要約】      （修正有）【課題】トリガーの引き力が、効率良く作用するポンプディスペンサーを提供すること。【解決手段】内側にシリンダー部１１を備え容器本体の口部に取り付け可能なベース本体１と、該ベース本体に取り外し可能に係止されたカバー体４と、シリンダー内を上下に摺動するピストン構造体２と、該ピストン構造体２を動かすためベース本体１に枢着部を介して回動可能に取り付けられたトリガーと、ピストン構造体２に連通しているノズル部２１と、ベース体１を容器本体に結合するためのキャップＣとを備え、前記ベース本体１の後部に外方に突出するように形成された指受け部１２とトリガー３に形成された指掛け部３１とで構成する。【選択図】図３
2009050794.tif 000002
【特許請求の範囲】
【請求項１】
内側にシリンダー部を備え容器本体の口部に取り付け可能なベース本体と、該ベース本体に取り外し可能に係止されたカバー体と、シリンダー内を上下に摺動するピストン構造体と、該ピストン構造体を動かすためベース本体に枢着部を介して回動可能に取り付けられたトリガーと、ピストン構造体に連通しているノズル部と、ベース体を容器本体に結合するためのキャップと、を備え、
前記ベース本体の後部に外方に突出するように形成された指受け部とトリガーに形成された指掛け部とを握ってトリガーを引き、その回動力によりシリンダー部内のピストン部を上下に摺動させシリンダー部内の液体をノズル部から外部に噴射するトリガー式ポンプディスペンサーであって、握れる範囲内で指受け部を可能な限り下方に位置させ、トリガーの引き力により、効率良く回動力が生じるようにしたことを特徴とするトリガー式ポンプディスペンサー。
【請求項２】
トリガーの枢着部Ｐ１より指受け部側の力点Ｑ２の位置が下方にあり、該指受け部側の力点Ｑ２の位置より指掛け部側の力点Ｑ１の位置が上方にあることを特徴とする請求項１記載のトリガー式ポンプディスペンサー。
【請求項３】
指受け部の位置がキャップの下端より低い位置にあることを特徴とする請求項２記載のトリガー式ポンプディスペンサー。
【請求項４】
指受け部は、ベース本体の後部に外方に突出するように形成される代わりに容器の外壁を外方に突出させることにより形成されていることを特徴とする請求項２記載のトリガー式ポンプディスペンサー
【請求項５】
ピストン構造体は、ベース本体に係合するノズル部とシリンダー部内を上下に摺動するピストン部と両者を連結する屈曲可能な連結部よりなり、それらが一体に形成されていることを特徴とする請求項１記載のトリガー式ポンプディスペンサー。
【請求項６】
内側にシリンダー部を備え容器本体の口部に取り付け可能なベース本体と、該ベース本体に取り外し可能に係止されたカバー体と、シリンダー内を上下に摺動するピストン構造体と、該ピストン構造体を動かすためベース本体に枢着部を介して回動可能に取り付けられたトリガーと、ピストン構造体に連通するノズル部と、ベース体を容器本体に結合するためのキャップと、を備え、
前記ベース本体の後部に外方に突出するように形成された指受け部とトリガーに形成された指掛け部とを握ってトリガーを引き、その回動力によりシリンダー部内のピストン部を上下に摺動させシリンダー部内の液体をノズル部から外部に噴射するトリガー式ポンプディスペンサーにおいて、指掛け部側の力点Ｑ１と枢着部Ｐ１を通る線と、枢着部Ｐ１と指受け部側の力点Ｑ２を通る線の交差角を１８０度より小さくし、指受け部側の力点Ｑ２を、握れる範囲内で、可能な限り、下方に位置させたことを特徴とする指受け部の位置決め方法。
【発明の詳細な説明】
【技術分野】
【０００１】
本発明は、トリガーを指で引くことにより、ピストン部を上下摺動させ、シリンダー部内の液体をノズル部から外部に噴射するトリガー式ポンプディスペンサーに関し、更に詳しくは、トリガーの引き力が極力軽くなるトリガー式ポンプディスペンサーに関する。
【０００２】
従来、所定の部分に薬液等の液体を噴射する手段として、トリガー式ポンプディスペンサーが使われている。
このポンプディスペンサーは、トリガーを操作するだけでピストンを動かし、シリンダー部と通じる容器内の液体を簡単にノズルから噴射できる単純な原理を利用しており、構造も複雑とならないことから広く有用されている。
【０００３】
このようなトリガーを有するトリガー式ポンプディスペンサーにおいては、通常、ディスペンサー本体に容器を取り付けた状態で握って噴射の対象となる位置に方向を定め、トリガー構造体を引き込む操作（すなわちトリガーの回動操作）を行う。
【０００４】
そして、トリガーを下方に引き込み回動させると、その一部が、ピストン部の頭部を押し下げる。  
すると、ピストン部が下がってシリンダー部内の液体が圧縮され、その結果、ピストン部内の通路を通ってノズルから液体が外部に噴射されるのである。
【０００５】
このようなトリガー操作の場合、通常、ポンプディスペンサーの後部の外方に延出している一方の指受け部に指股（詳しくは親指と人差し指の間）を当てて、他方のトリガーの指掛け部には指（詳しくは人差し指及び中指）を引っ掛けて下方に引くこととなる。
【０００６】
しかし、指受け部、指掛け部、枢着部の相互の位置関係により、必ずしも、指掛け部における引く力の分力（これが、トリガを回動させる力となる）が効率良く働くとは限らない。
そのためトリガーに対して無理に過剰な引く力を与えている場合が多い。
しかし、このような観点から見て、極力、引く力を軽減でき、余分な力の負担をなくするように配慮したポンプディスペンサーは、いまだ提供されていない。
【０００７】
【特許文献１】特開２００６−１９８４４６号公報
【発明の開示】
【発明が解決しようとする課題】
【０００８】
本発明は、かかる背景技術をもとになされたもので、上記の技術的問題点を克服するためになされたものである。
すなわち、本発明は、トリガー式ポンプディスペンサーにおいて、トリガーの引き力が、効率良く作用するポンプディスペンサーを提供することを目的とする。
更には、そのための指受け部の位置決め方法を提供することである。
【課題を解決するための手段】
【０００９】
かくして、本発明者は、このような課題背景に対して鋭意研究を重ねた結果、ポンプディスペンサーの指掛け部或いは指受け部の高さ位置を特定することにより、トリガーを握った場合、トリガーを下方に引き込む力が効率良く作用することを見出し、この知見に基づいて本発明を完成させたものである。
【００１０】
すなわち、本発明は、（１）、内側にシリンダー部を備え容器本体の口部に取り付け可能なベース本体と、該ベース本体に取り外し可能に係止されたカバー体と、シリンダー内を上下に摺動するピストン構造体と、該ピストン構造体を動かすためベース本体に枢着部を介して回動可能に取り付けられたトリガーと、ピストン構造体に連通しているノズル部と、ベース体を容器本体に結合するためのキャップと、を備え、前記ベース本体の後部に外方に突出するように形成された指受け部とトリガーに形成された指掛け部とを握ってトリガーを引き、その回動力によりシリンダー部内のピストン部を上下に摺動させシリンダー部内の液体をノズル部から外部に噴射するトリガー式ポンプディスペンサーであって、握れる範囲内で指受け部を可能な限り下方に位置させ、トリガーの引き力により、効率良く回動力が生じるようにしたトリガー式ポンプディスペンサーに存する。
【００１１】
すなわち、本発明は、（２）、トリガーの枢着部Ｐ１より指受け部側の力点Ｑ２の位置が下方にあり、該指受け部側の力点Ｑ２の位置より指掛け部側の力点Ｑ１の位置が上方にある上記（１）のトリガー式ポンプディスペンサーに存する。
【００１２】
すなわち、本発明は、（３）、指受け部の位置がキャップの下端より低い位置にある上記（２）記載のトリガー式ポンプディスペンサーに存する。
【００１３】
すなわち、本発明は、（４）、指受け部は、ベース本体の後部に外方に突出するように形成される代わりに容器の外壁を外方に突出させることにより形成されている上記（２）記載のトリガー式ポンプディスペンサーに存する。
【００１４】
すなわち、本発明は、（５）、ピストン構造体は、ベース本体に係合するノズル部とシリンダー部内を上下に摺動するピストン部と両者を連結する屈曲可能な連結部よりなり、それらが一体に形成されている上記（１）記載のトリガー式ポンプディスペンサーに存する。
【００１５】
すなわち、本発明は、（６）、内側にシリンダー部を備え容器本体の口部に取り付け可能なベース本体と、該ベース本体に取り外し可能に係止されたカバー体と、シリンダー内を上下に摺動するピストン構造体と、該ピストン構造体を動かすためベース本体に枢着部を介して回動可能に取り付けられたトリガーと、ピストン構造体に連通するノズル部と、ベース体を容器本体に結合するためのキャップと、を備え、前記ベース本体の後部に外方に突出するように形成された指受け部とトリガーに形成された指掛け部とを握ってトリガーを引き、その回動力によりシリンダー部内のピストン部を上下に摺動させシリンダー部内の液体をノズル部から外部に噴射するトリガー式ポンプディスペンサーにおいて、、指掛け部側の力点Ｑ１と枢着部Ｐ１を通る線と、枢着部Ｐ１と指受け部側の力点Ｑ２を通る線の交差角を１８０度より小さくし、指受け部側の力点Ｑ２を、握れる範囲内で、可能な限り、下方に位置させた指受け部の位置決め方法に存する。
【００１６】
なお、本発明の目的に添ったものであれば、上記（１）から（６）を適宜組み合わせた構成も採用可能である。
【発明の効果】
【００１７】
本発明のトリガー式ポンプディスペンサーは、内側にシリンダー部を備え容器本体の口部に取り付け可能なベース本体と、該ベース本体に取り外し可能に係止されたカバー体と、シリンダー部内を上下に摺動するピストン構造体２と、該ピストン構造体を動かすためベース本体に回動可能に取り付けられたトリガーと、ピストン構造体に連通しているノズル部と、ベース体を容器本体に結合するためのキャップと、を備え、指掛け部側の力点Ｑ１と枢着部Ｐ１を通る線と、枢着部Ｐ１と指受け部側の力点Ｑ２を通る線の交差角が１８０度より小さいことにより、引く力の分力である回動する力が必ず発生する。
またトリガーの枢着部Ｐ１より指受け部側の力点Ｑ２の位置が下方にあり、該指受け部側の力点Ｑ２の位置より指掛け部側の力点Ｑ１の位置が上方にあることにより、握り易く、効率良く回動力が生じる。
【００１８】
また指受け部の位置がキャップの下端より低い位置にあるので、ベース本体の形状の変更により、簡単に指受け部側の力点Ｑ２の位置を下方に形成できる。
また指受け部は、容器の外壁を外方に突出させることにより形成されているので、容器の形状の変更により、簡単に指受け部側の力点の位置Ｑ２を下方に形成できる。
【００１９】
また、連結部が屈曲可能でピストンの上下移動を吸収する構造とした場合は、余分な部品を必要とせず、構造が簡単であり且つ故障も少ない。
【発明を実施するための最良の形態】
【００２０】
以下、本発明を実施するための最良の形態を図面に基づいて説明する。
図１は、本発明の一実施形態に係るトリガー式ポンプディスペンサーにより原理を説明する図である。
図１（Ａ）は、トリガーを引く前の状態、図１（Ｂ）は、トリガーを引いた後の状態を示す。
【００２１】
後述するように、トリガー式ポンプディスペンサーは、まず容器に直接取り付けられるベース本体１、該ベース本体１に取り付けられるカバー体４、ベース本体１に枢着部Ｐ１を介して取り付けられるトリガー３、及び該トリガー３によって上下移動するピストン構造体２を備えている。
そして指受け部１２がベース本体１の後部に外方に突出するように形成され、トリガー３には指を引っ掛ける指掛け部３１が形成されている。
また、これらにより構成される内部の通路には、ファーストバルブＦＶ、及びセカンドバルブＳＶが備わっている。
尚、図１は、便宜的に一部を省略して示している。
【００２２】
トリガー式のポンプディスペンサーは、トリガー３を引き込むこと、すなわち回動させることによりピストン部２３を下方に摺動させシリンダー部内の液体をノズル部２１（詳しくはノズル口Ｎ）から噴射するものである。
【００２３】
このような、トリガー式ポンプディスペンサーは、指受け部１２とトリガー３に形成された指掛け部３１とを握ってトリガー３を引く際、引き力により回動力が生じるようにトリガー３の枢着部Ｐ１と指掛け部側の力点（人差し指と中指との間）Ｑ１の位置関係を設定してある。
【００２４】
すなわちトリガー３の指掛け部３１に人差し指Ｔ１と中指Ｔ２を引っ掛け、また親指と人差し指の間（指股Ｔ３）を、指受け部１２当接させる。
そして人差し指Ｔ１と中指Ｔ２を強く引く。
この状態では、指掛け部側の力点（人差し指と中指との間）Ｑ１と指受け部側の力点Ｑ２とを結ぶ線上にトリガー３を引く力Ｆが作用する。
【００２５】
この場合、指掛け部側の力点Ｑ１と枢着部Ｐ１とを結ぶ線と垂直な方向に、引く力Ｆの分力である回動力Ｘが作用することとなる。
すなわち指掛け部側の力点Ｑ１と枢着部Ｐ１を通る線と、枢着部Ｐ１と指受け部側の力点Ｑ２を通る線の交差角が１８０度より小さいと分力が生じる。
指掛け部側の力点Ｑ１と枢着部Ｐ１と指受け部側の力点Ｑ２の３つの位置が同じ高さであると、当然、回動力Ｘが発生しないのである。
ここで指受け部側の力点Ｑ２の位置は、トリガー３の枢着部Ｐ１の位置より上に設けることは、トリガー式ポンプディスペンサーの構造上、無理である。
【００２６】
また、握り方の自然さ及び握り易さの観点から、トリガーを引く前においては、指受け部側の力点の位置Ｑ２より指掛け部側の力点Ｑ１の位置が上方にあることが好ましい。
以上のような条件のもとで、指掛け部側の力点Ｑ１をそのままの位置にして、指受け部側の力点Ｑ２の位置を下げるよう位置決めしていくと、回動力Ｘは増加していき、指掛け部側の力点Ｑ１と指受け部側の力点Ｑ２とを結ぶ線がＰ１とＱ１を結ぶ線と垂直になった状態（引き力効率最大状態）で、引き力Ｆが全て回動力Ｘとなる（図２参照）。
この場合、人の指の間隔には限度があることから、その限度の距離範囲で指掛け部側の力点Ｑ１に対して指受け部側の力点Ｑ２を可能な限り下方に位置決めすることが重要である。
【００２７】
このように、引く力Ｆの分力が回動力Ｘとなるから、上述の引き力効率最大状態までは、指受け部側の力点Ｑ２が下方にあるほど、トリガー３の引き力Ｆがより効率良く作用する。
本発明は、トリガーの引き力により、効率良く回動力が生じるようにしたもので、指受け部側の力点Ｑ２の位置が、極力、下方になるような構造及び位置決め方法を採用している。  
【００２８】
図３は、トリガー式ポンプディスペンサーの構造例を示した図である。
トリガー式ポンプディスペンサーは、内側にシリンダー部１１を備え容器本体Ｂの口部に取り付け可能なベース本体１と、該ベース本体１に取り外し可能に係止されたカバー体４と、シリンダー部内を上下に摺動するピストン構造体２と、該ピストン構造体２を動かすためベース本体１に枢着部Ｐ１を介して回動可能に取り付けられたトリガー３と、ピストン構造体２に連通しているノズル部２１と、ベース本体１を容器本体Ｂに結合するためのキャップ１３と、を備える。
そしてトリガー３の枢着部Ｐ１より指掛け部側の力点の位置Ｑ１が下方にある（図１参照）。
【００２９】
（ベース本体）
まず、ベース本体１は、容器本体Ｂの口部に、取り付け可能となっている。
すなわち、キャップＣは容器本体Ｂの口部に係合或いは螺合により取り付け或いは取り外し自在となっており、ベース本体１は、キャップＣにより一部を押さえ付けられることで、同時に容器本体Ｂに固定される。
【００３０】
ベース本体１は、内側にピストン部２３が収納可能な中空円筒状のシリンダー部１１と該シリンダー部１１から上方に拡大する部分である指受け部１２とを有している。
指受け部１２は、ポンプディスペンサーを握った時、親指と人差し指の間である指股Ｔ３が、ここに当接しその重量を支える役割を果たす。
手の大きさを考慮すると、通常、指受け部側の力点Ｑ２は、キャップ１３の中央より上方に位置する。
【００３１】
ベース本体１の一部であるシリンダー部１１の下には、それより細径の２段状筒部が形成されており、この筒部の下部には、ファーストバルブＦＶ（バネ付き弁）が備わっている。
尚、容器内の液体は、このファーストバルブＦＶを通過してシリンダー部１１内に吸い上げられる。
【００３２】
また、筒部の下方には容器底の液体を吸い上げてファーストバルブＦＶに導入する導入チューブが一体に形成されている。
筒部の上部には、棒状の閉鎖バルブ５が配設されており、この閉鎖バルブ５の先はピストン部２３の細径部内にまで入り込んでいる。
ピストン部２３が上死点（トリガー３を引き込む前の位置、すなわち回動前の位置）にある時は、閉鎖バルブ５の先の膨張部がピストン部２３の細径部の内壁に圧接されて液体の通路が閉鎖される。
【００３３】
そのため、この状態では容器本体Ｂの内圧が高まることによりファーストバルブＦＶを通して液体が上がって逆流してきても、ノズル部２１の方に逃げない効果がある。
【００３４】
（カバー体）
ところで、ベース本体１の指受け部１２の上方には、蓋状のカバー体４が取り外し可能に係合している。
また、ベース本体１からカバー体４を取り外した場合、トリガー３、ピストン構造体２、シリンダー部１１等がその開口部から露出するので、内部の清掃が極めて簡単に行える利点がある。
【００３５】
（ピストン構造体）
上記ベース本体１のシリンダー部１１内には、上部に細径部を有する２段中空円筒状のピストン部２３が摺動可能に備えられており、該ピストン部２３は、次に示すように、ピストン構造体２の一部となっている。
【００３６】
ピストン構造体２は、直鎖状リニア低密度ポリエチレン（ＬＬＤＰＥ）、シリコーン樹脂のような弾圧的に変形可能な樹脂で形成されており、先方にノズル部２１、後方にピストン部２３、そしてノズル部２１とピストン部２３との間を連結する連結部２２とを一体に有している。
連結部２２は屈曲変形又はその復帰が容易に可能である。  
【００３７】
連結部２２の表面には多数のフィン２２Ａが形成されており、連結部２２を含むピストン構造体２の材質を軟質の例えば、シリコーン樹脂にした場合でも連結部２２をその内部通路が変形して潰れることがない。
【００３８】
このようなことから、連結部２２を９０度以上、十分屈曲することができる（図３参照）。
【００３９】
なおノズル部２１の中にはセカンドバルブＳＶ（バネ付き弁）が備わっており、容器内の液体は最終的にはこのセカンドバルブＳＶを通過して外方に吐出される。
【００４０】
（トリガー）
一方、ピストン構造体２を上下させるトリガー３は、ベース本体に第１枢着部Ｐ１を介して枢着されており回動可能である。
またトリガーの一部がピストンに第２枢着部Ｐ２を介して枢着されており、ピストンを押し下げる。
【００４１】
また、バネ部３３は、トリガー３の指掛け部３１を握って第一枢着部Ｐ１を起点として回動させた場合、両者の距離が縮まり反対方向に弾発力を発揮する。
すなわち、バネ部３３の先端はベース本体１に嵌って保持固定されており、指掛け部３１を握って引き込むと指掛け部３１とバネ部３３との成す角度が小さくなり弾発力が作用し、握った指を放つとトリガー３は元の位置に戻る。
【００４２】
次に、トリガーの操作について述べる。
いま、所定の場所に液体を噴射する場合、トリガー３の指掛け部３１に人差し指Ｔ１と中指Ｔ２を引っ掛け、また指受け部１２に、指股Ｔ３を当てた状態でトリガー３を引き込む。
するとトリガー３は第一枢着部Ｐ１を基準に下方に回動する。
この場合、トリガーの引き力Ｆにより、分力が発生し（分力Ｘ、分力Ｙ）、分力Ｘがトリガーを回動する力となる。
【００４３】
例えば指掛け部側の力点Ｑ１に対して、指受け部側の力点Ｑ２を極力、下方にすることで、引き力が効率的に作用するのである。
トリガー３は、ピストン部２３に第二枢着部Ｐ２を介して枢着されているので、トリガー３の回動によりピストン部２３は下方に押し下げられる。
ピストン部２３の下方移動により、シリンダー部内の液体に圧が加わり連結部２２を通ってノズル部２１に達しノズル口Ｎから外に液が噴射される。
【００４４】
尚、図３のトリガー式ポンプディスペンサーにおいては、ピストン部２３の押し下げにより、それと一体のノズル部２１も引き下がろうとするが、連結部２２が屈曲変形しピストンの上下移動を積極的に吸収するのでノズル部２１は動かない。
したがって、ベース本体１にノズル部２１が固定されていても、ピストン部２３の動きに影響は与えない。
なお、連結部２２には、その周囲に多数のフィン２２Ａが形成されているので、屈曲しても液の通路断面が全く変形しない。
【００４５】
以上のように、本発明では、極力、トリガーの引き力Ｆにより、分力が発生し、回動力Ｘとなる。
そのため指掛け部側の力点Ｑ１と枢着部Ｐ１を通る線と、枢着部Ｐ１と指受け部側の力点Ｑ２を通る線の交差角を１８０度より小さくし、加えて、指受け部側の力点Ｑ２を極力、下方になるようにしているが、更に、ベース本体１の形状を変更することにより、或いは、容器本体の形状を変更することによっても、このような位置関係が容易に達成される。
【００４６】
図４は、ベース本体１の形状を変更することにより、指受け部１２の位置を下方に大きく位置させた例である。
具体的には、ベース本体１の指受け部１２を、ベース本体１の後方の壁をキャップ１３に沿って下方に延設することで形成する。
そして、その延設した位置をキャップ１３の下端より低い位置にする。
そのため指受け部側の力点Ｑ２が大きく下方に位置して、引く力Ｆの分力が大きくなり、自然に引く力Ｆが効率的に使えるのである。
【００４７】
また図５は、指受け部１２の位置を容器本体の形状を変更することにより大きく下方に位置させた例であり、当然、指受け部側の力点Ｑ２の位置も下がる。
具体的には、図に示すように、指受け部１２Ｂは、ベース本体１の後部に外方に突出するように形成する代わりに、容器本体Ｂの外壁を外方に突出させて形成する。
そのため、ベース本体１の形状を変更する場合と同様に、指受け部側の力点Ｑ２が大きく下方に位置することになり、自然に引く力Ｆが効率的に使えるのである。
【００４８】
ところで指受け部側の力点Ｑ２の位置を下げると、トリガー３が滑り易くなるため、それを防止する意味から、図６に示すようにトリガー３に突起部３２を形成することも可能である。
この場合、人差し指Ｔ１と中指Ｔ２との間である指掛け部側の力点Ｑ１の位置に突起部３２を設けることが好ましい。
【００４９】
また、図７に示すように、トリガー３に指（例えば中指Ｔ２）を挿入するための指挿入部３４を設けることも可能である。
【００５０】
以上、本発明を説明してきたが、本発明は、上述した実施形態にのみ限定されるものではなく、その本質を逸脱しない範囲で、他の種々の変形が可能であることはいうまでもない。
トリガー３を引き、その回動力によりシリンダー内のピストン部２３を上下に摺動させシリンダー部内の液体をノズル部２１から外部に噴射するトリガー式ポンプディスペンサーであれば、適用が可能である。
【００５１】
例えば、ピストン構造体２は、連結部２２が、容易に屈曲変形又は、復帰できる構造の例で示したが、図８のように、容易に屈曲変形又は復帰できないものでも、採用可能である。
この場合、ピストン部２３の押し上げ又は押し下げにより、それと一体のノズル部２１も上下移動する。
そのためノズル部２１は、ベース本体１に取り付け固定しない。
また発明の実施の形態では、人差し指Ｔ１と中指Ｔ２とでトリガー３を握った場合で説明したが、中指と薬指とで握った場合でも同様なことがいえる。
【図面の簡単な説明】
【００５２】
【図１】図１は、トリガー式ポンプディスペンサーにより本発明の原理を説明する図であり、図１（Ａ）は、トリガーを引く前の状態、図１（Ｂ）は、トリガーを引いた後の状態を示す。
【図２】図２は、引き力が全て回動力になる場合のトリガー式ポンプディスペンサーの例を示す。
【図３】図３は、本発明の一実施形態に係るトリガー式ポンプディスペンサーの構造例を示した図であり、図３（Ａ）は、トリガーを引く前の状態、図３（Ｂ）は、トリガーを引いた後の状態を示す。
【図４】図４は、ベース本体の形状を変更することにより、指受け部の位置を下方に大きく位置させた例を示す図である。
【図５】図５は、指受け部の位置を容器の形状を変更することにより下方に大きく位置させた例を示す。
【図６】図６は、トリガーに掛かり部を形成した例を示す。
【図７】図７は、トリガーに指挿入部を設けた例を示す。
【図８】図８は、ノズルが上下移動するトリガー式ポンプディスペンサーの例を示す。
【符号の説明】
【００５３】
１…ベース本体
１１…シリンダー部
１２…指受け部
１２Ｂ…指受け部
Ｃ…キャップ
２…ピストン構造体
２１…ノズル部
２２…連結部
２２Ａ…フィン
２３…ピストン部
３…トリガー
３１…指掛け部
３２…突起部
３４…指挿入部
３３…バネ部
４…カバー体
５…閉鎖バルブ
ＦＶ…ファーストバルブ
ＳＶ…セカンドバルブ
Ｎ…ノズル口
Ｐ１…第一枢着部
Ｐ２…第二枢着部
Ｆ…引く力（引き力）
Ｑ１…指掛け部側の力点
Ｑ２…指受け部側の力点
Ｘ…分力（回動力）
Ｙ…分力
【図１】
2009050794.tif 000003
【図２】
2009050794.tif 000004
【図３】
2009050794.tif 000005
【図４】
2009050794.tif 000006
【図５】
2009050794.tif 000007
【図６】
2009050794.tif 000008
【図７】
2009050794.tif 000009
【図８】
2009050794.tif 000010